(57)【特許請求の範囲】
【請求項１】
映像信号の垂直帰線消去期間に重畳されているＷＳＳ信号が正常に読み取れていることを評価するＷＳＳ信号評価装置において、
前記映像信号から前記ＷＳＳ信号を抽出する抽出手段と、
前記ＷＳＳ信号が採り得る、それぞれ異なるビットパターンで構成された複数の基準信号を記憶しており、前記ＷＳＳ信号と前記基準信号との整合性を判定する場合に、前記複数の基準信号を択一的に出力する記憶手段と、
該記憶手段から出力される前記基準信号を切り換えるモード切替手段と、
前記抽出手段により抽出されたＷＳＳ信号と、前記記憶手段から出力された基準信号との整合性を判定するか、または、
該記憶手段に記憶されている前記複数の基準信号の中から、前記抽出手段によって抽出されたＷＳＳ信号とビットパターンが一致するものを検出する評価手段と、
前記抽出手段により抽出された前記ＷＳＳ信号に基づき表示を行うとともに、前記評価手段での評価結果に基づき表示を行う表示手段とを備え、
前記表示手段は、前記ＷＳＳ信号の各ビット位に対して１つずつ設けられた発光ダイオードからなる第１の発光手段と、判定結果に基づき良否判定を示す発光ダイオードかまたは、検出結果に基づき前記基準信号の各ビットパターンに対してそれぞれ１つずつ設けられた複数の発光ダイオードからなる第２の発光手段と、前記抽出手段により抽出されたＷＳＳ信号の対応するビット位のビットに基づき前記第１の発光手段の前記発光ダイオードの点灯／消灯を切り換えるとともに、前記判定結果または前記検出結果に基づき前記第２の発光手段の前記発光ダイオードの点灯／消灯を切り換える表示制御手段とからなることを特徴としたＷＳＳ信号評価装置。
【請求項２】
映像信号の垂直帰線消去期間に重畳されているＷＳＳ信号が正常に読み取れていることを評価するＷＳＳ信号評価装置において、
前記映像信号から前記ＷＳＳ信号を抽出する抽出手段と、
前記ＷＳＳ信号が採り得る、それぞれ異なるビットパターンで構成された複数の基準信号を記憶しており、該複数の基準信号を択一的に出力する記憶手段と、
該記憶手段から出力される前記基準信号を切り換えるモード切替手段と、
前記抽出手段により抽出されたＷＳＳ信号と、前記記憶手段から出力された基準信号との整合性を判定する判定手段と、
前記抽出手段により抽出された前記ＷＳＳ信号に基づき表示を行うとともに、前記判定手段での判定結果に基づき表示を行う表示手段と、を備えたＷＳＳ信号評価装置。
【請求項３】
前記表示手段は、前記ＷＳＳ信号の各ビット位に対して１つずつ設けられた発光ダイオードからなる第１の発光手段と、
前記判定結果に基づき、良否判定を示す発光ダイオードからなる第２の発光手段と、
前記抽出手段により抽出されたＷＳＳ信号の対応するビット位のビットに基づき前記第１の発光手段の前記発光ダイオードの点灯／消灯を切り換えるとともに、前記判定結果に基づき前記第２の発光手段の前記発光ダイオードの点灯／消灯を切り換える表示制御手段と、を備えた請求項２に記載のＷＳＳ信号評価装置。
【請求項４】
映像信号の垂直帰線消去期間に重畳されているＷＳＳ信号が正常に読み取れていることを評価するＷＳＳ信号評価装置において、
前記映像信号から前記ＷＳＳ信号を抽出する抽出手段と、
前記ＷＳＳ信号が採り得る、それぞれ異なるビットパターンで構成された複数の基準信号を記憶する記憶手段と、
該記憶手段に記憶されている前記複数の基準信号の中から、前記抽出手段によって抽出されたＷＳＳ信号とビットパターンが一致するものを検出する検出手段と、
前記抽出手段により抽出された前記ＷＳＳ信号に基づき表示を行うとともに、前記検出手段での検出結果に基づき表示を行う表示手段と、を備えたＷＳＳ信号評価装置。
【請求項５】
前記表示手段は、前記ＷＳＳ信号の各ビット位に対してそれぞれ１つずつ設けられた複数発光ダイオードからなる第１の発光手段と、
前記基準信号の各ビットパターンに対してそれぞれ１つずつ設けられた複数の発光ダイオードからなる第２の発光手段と、
前記抽出手段により抽出されたＷＳＳ信号の対応するビット位のビットに基づき前記第１の発光手段の前記発光ダイオードの点灯／消灯を切り換えるとともに、前記検出結果に基づき前記第２の発光手段の前記発光ダイオードの点灯／消灯を切り換える表示制御手段と、を備えた請求項４に記載のＷＳＳ信号評価装置。
【発明の詳細な説明】
【０００１】
【発明の属する技術分野】
この発明は、映像信号の垂直帰線消去期間に重畳されているＷＳＳ信号を評価するＷＳＳ信号評価装置に関するものである。
【０００２】
【従来の技術】
現在、ヨーロッパで採用されている、ＰＡＬ方式の映像信号では、その垂直帰線消去期間に含まれるＬｉｎｅ２３に、映像を表示する際のアスペクト比やＰＡＬｐｌｕｓに関連するＷＳＳ信号が重畳されている。
【０００３】
特開平８−１８２０１７号公報には、Ｌｉｎｅ２３に重畳されたＷＳＳ信号をペデスタルレベルに固定することで、高画質を維持しながら圧縮記録、再生を行うディジタルビデオ信号記録装置および再生装置が開示されている。
【０００４】
また、特開平８−２０５１９０号公報には、Ｌｉｎｅ２３に重畳されているＷＳＳ信号をリファレンス信号として記憶することで、高画質を維持しながら映像の記録、再生を行うディジタルビデオ信号記録装置および再生装置が開示されている。
【０００５】
ところで、ＤＶＤ等の光ディスクに記憶されている映像信号を再生する際には、このアスペクト比は重要な情報であり、ＤＶＤプレイヤ等の光ディスクプレイヤはこの情報を正確に出力しなければならない。このため、光ディスクプレイヤの開発段階あるいは製造工程においては、光ディスクプレイヤから出力される映像信号に重畳されているＷＳＳ信号を評価する必要がある。
【０００６】
従来のＷＳＳ信号の評価は、ＷＳＳ信号が重畳されている部分における映像信号の波形そのものをシンクロスコープを用いてモニタするものであった。
【０００７】
【発明が解決しようとする課題】
しかしながら、従来のＷＳＳ信号の評価は、前述のように、映像信号の波形そのものをモニタするものであったため、ＷＳＳ信号の評価を短時間で且つ容易に行うことができなかった。
【０００８】
また、モニタに表示された波形のみでＷＳＳ信号を評価するため、ＷＳＳ信号についての知識がなければ、信号の良否判定することができず、ＷＳＳ信号の知識を有する特定のオペレータのみにしか評価ができなかった。このため、ＷＳＳ信号の評価は容易ではなく、作業負荷のかかるものであった。
【０００９】
なお、特開平８−１８２０１７号公報、特開平８−２０５１９０号公報には、ＷＳＳ信号を利用して、高画質に映像の記録、再生を行う装置について記されているにすぎず、ＷＳＳ信号が重畳された映像信号が正常に読み取られているかを確認する方法については、明記されていない。
【００１０】
この発明の目的は、映像信号に重畳されているＷＳＳ信号を、ＷＳＳ信号の知識の習熟度合いに関係なく短時間で且つ容易に評価するＷＳＳ信号評価装置を提供することにある。
【００１１】
【課題を解決するための手段】
上記の目的を達成するために、この発明は、映像信号から前記ＷＳＳ信号を抽出する抽出手段と、ＷＳＳ信号が採り得る、それぞれ異なるビットパターンで構成された複数の基準信号を記憶しており、複数の基準信号を択一的に出力する記憶手段と、記憶手段から出力される基準信号を切り換えるモード切替手段と、抽出手段により抽出されたＷＳＳ信号と、記憶手段から出力された基準信号との整合性を判定する判定手段と、抽出手段により抽出されたＷＳＳ信号に基づき表示を行うとともに、判定手段での判定結果に基づき表示を行う表示手段とを備えている。この表示手段は、ＷＳＳ信号の各ビット位に対して１つずつ設けられた発光ダイオードからなる第１の発光手段と、判定結果に基づき、良否判定を示す発光ダイオードからなる第２の発光手段と、抽出手段により抽出されたＷＳＳ信号の対応するビット位のビットに基づき第１の発光手段の前記発光ダイオードの点灯／消灯を切り換えるとともに、判定結果に基づき第２の発光手段の前記発光ダイオードの点灯／消灯を切り換える表示制御手段とを備えている。
【００１２】
この構成では、抽出されたＷＳＳ信号と記憶手段に記憶され、出力された基準信号との整合性が判定される。ＷＳＳ信号は、判定の基準となる出力された基準信号と同じビットパターンで映像信号に重畳されており、この映像信号が予め評価用記憶媒体に記憶されている。この記憶媒体から映像信号から読み取ったＷＳＳ信号が基準信号と異なれば、抽出されたＷＳＳ信号と出力された基準信号との整合性がないと判断され、この結果に基づく表示が行われる。ここで、二つの信号が同じであれば、ＷＳＳ信号と基準信号との整合性があると判断され、この結果に基づく表示が行われる。また、この判定と同時に、抽出されたＷＳＳ信号の内容を示す表示が行われる。前記ＷＳＳ信号の内容を示す表示は、ＷＳＳ信号の各ビット位に対応して、発光ダイオードが点灯／消灯されるものであり、評価中のＷＳＳ信号のビットパターンが発光ダイオードの点灯パターンで表示される。また、前記判定結果を示す表示は、判定結果に応じて発光ダイオードが点灯／消灯されるものであり、判定結果が簡素に表示される。
【００１３】
また、この発明は、映像信号からＷＳＳ信号を抽出する抽出手段と、ＷＳＳ信号が採り得る、それぞれ異なるビットパターンで構成された複数の基準信号を記憶する記憶手段と、この記憶手段に記憶されている複数の基準信号の中から、抽出手段によって抽出されたＷＳＳ信号とビットパターンが一致するものを検出する検出手段と、抽出手段により抽出されたＷＳＳ信号に基づき表示を行うとともに、検出手段での検出結果に基づき表示を行う表示手段とを備えている。この表示手段は、ＷＳＳ信号の各ビット位に対してそれぞれ１つずつ設けられた複数発光ダイオードからなる第１の発光手段と、基準信号の各ビットパターンに対してそれぞれ１つずつ設けられた複数の発光ダイオードからなる第２の発光手段と、抽出手段により抽出されたＷＳＳ信号の対応するビット位のビットに基づき第１の発光手段の発光ダイオードの点灯／消灯を切り換えるとともに、検出結果に基づき第２の発光手段の発光ダイオードの点灯／消灯を切り換える表示制御手段とを備えている。
【００１４】
この構成では、記憶されている複数の基準信号のうち、抽出されたＷＳＳ信号と同じビットパターンで構成されている基準信号が検出される。ＷＳＳ信号は、複数の基準信号のうちの少なくとも一つと同じビットパターンで映像信号に重畳されており、この映像信号が予め評価用記憶媒体に記憶されている。この評価用記憶媒体から映像信号を読み取り、ＷＳＳ信号が抽出され、このＷＳＳ信号と同じビットパターンで構成された基準信号が検出されると、この結果に基づく表示が行われる。また、この検出と同時に、抽出されたＷＳＳ信号の内容を示す表示が行われる。前記ＷＳＳ信号の内容を示す表示は、ＷＳＳ信号の各ビット位に対応して、発光ダイオードが点灯／消灯されるものであり、評価中のＷＳＳ信号のビットパターンが発光ダイオードの点灯パターンで表示される。また、前記検出結果を示す表示は、検出結果で識別したパターンに対応する発光ダイオードが点灯／消灯されるものであり、検出結果が簡素に表示される。
【００１５】
【発明の実施の形態】
第１の実施形態に係るＷＳＳ信号評価装置について、図を参照して説明する。
図１はＷＳＳ信号評価装置の外観斜視図である。
図２はＷＳＳ信号評価装置の内部ブロック図である。
図３はＷＳＳ信号抽出部の内部ブロック図である。
図４はＷＳＳ信号抽出部における各信号のタイミングチャートである。
図５はＷＳＳ信号の良否判定を行うフローを示すフローチャートである。
【００１６】
ＷＳＳ信号評価装置１００の正面には、ＷＳＳ信号のビットパターンを表示する１４個の発光ダイオード７−１〜７−１４と、ＷＳＳ信号の良否判定を表示する２個の発光ダイオード８−１，８−２とが配置されている。発光ダイオード７−１〜７−１４の近傍には、各発光ダイオードがそれぞれに対応するＷＳＳ信号の各ビット位を示す、「１」〜「１４」の数字が表記されており、発光ダイオード８−１，８−２の近傍には、「ＯＫ」、「ＮＧ」の記号が表記されている。
【００１７】
また、ＷＳＳ信号評価装置の一側面には、判定モード切り替え用スイッチ４が配置されている。
【００１８】
入力端子１には、例えば、ＤＶＤプレイヤ２００によってＤＶＤから再生されたＰＡＬ方式の映像信号が入力される。ＷＳＳ信号抽出部２は、入力端子１を介して入力されるＰＡＬ方式の映像信号のＬｉｎｅ２３に重畳されている１４ビットのＷＳＳ信号を抽出して出力する。
【００１９】
ＷＳＳ信号抽出部２の一構成例を図３に示す。入力された映像信号は２値化回路２１において基準電圧と比較されることにより２値化信号に変換される。タイミング発生回路２２は、図４に示すように、入力端子１を介して入力されるＰＡＬ方式の映像信号のＬｉｎｅ２３において、所定の時間間隔で１４回パルスが発生する信号Ｓ１を生成してシフトレジスタ２３に供給するとともに、シフトレジスタ２３に供給する信号Ｓ１が１４回パルス発生する毎に１回パルスを発生する信号Ｓ２を生成してラッチ回路２４に供給する。
【００２０】
シフトレジスタ２３は、２０個のフリップフロップが直列に接続されて構成されており、先頭のフリップフロップには２値化回路２１から出力された信号が入力される。そして、シフトレジスタ２３を構成する各フリップフロップはタイミング発生回路２２から供給される信号Ｓ１をストローブとして動作する。
【００２１】
ラッチ回路２４は、１４個のフリップフロップで構成されており、シフトレジスタ２３から出力される１４ビットの信号が入力される。そして、ラッチ回路２４を構成する各フリップフロップはタイミング回路２２から供給される信号Ｓ２をストローブとして動作する。このようにしてラッチ回路２４に保持されている１４ビットの信号がＷＳＳ信号抽出部２の出力信号となる。
【００２２】
基準信号記憶部３は、ＷＳＳ信号が採り得る、それぞれ異なる１４ビットのビットパターンをもった複数の基準信号を記憶しており、これらの基準信号の内、判定モード切り替え用スイッチ４の状態に応じて選択された基準信号を信号判定部５に供給する。
【００２３】
信号判定部５は、ＷＳＳ信号抽出部２から出力されるＷＳＳ信号と、基準信号記憶部３から供給される選択された基準信号との整合性を判定し、この判定結果を表示制御部６に通知する。
【００２４】
表示制御部６は、ＷＳＳ信号抽出部２から出力される１４ビットのＷＳＳ信号のｋ番目（ｋ＝１〜１４）のビットが「１」であれば、発光ダイオード７−ｋを点灯させ、このビットが「０」であれば、発光ダイオード７−ｋを消灯させる。これにより、ＷＳＳ信号の各ビット位の内容を簡素に表示する。
【００２５】
また、表示制御部６は、ＷＳＳ信号抽出部２から出力されるＷＳＳ信号と基準信号機億部３から供給される基準信号とが整合する内容の判定結果を信号判定部５から通知された場合に、発光ダイオード８−１を点灯させ、発光ダイオード８−２を消灯させる。一方、前記二つの信号が不整合である内容の判定結果を信号判定部５から通知された場合には、発光ダイオード８−１を消灯させ、発光ダイオード８−２を点灯させる。
【００２６】
なお、前述の説明では、一つのモードの基準信号に対してのＷＳＳ信号の整合性を判定する方式を示したが、モード切り替え用スイッチ４を操作することで、連続して、複数のモードについて整合性を判定することができる。例えば、最初に、ＷＳＳ信号が「１６：９のフルスクリーン」モードを示しているかを判定し、２番目に「１４：９のセンターレターボックス」モードを示しているかを判定し、３番目に「４：３のノーマル」モードを示しているかを判定するように、複数のモードのついて判定することができる。
【００２７】
このＷＳＳ信号評価装置１００を用いて、ＤＶＤプレイヤ２００から出力される映像信号のＷＳＳ信号を評価するフローを図５を参照して説明する。
【００２８】
まず、ＷＳＳ信号評価装置１００に接続された評価対象のＤＶＤプレイヤ２００で評価用のディスクが再生され、映像信号がＷＳＳ信号評価装置１００に入力される（ｓ１）。ＷＳＳ信号抽出部２で、入力された映像信号からＷＳＳ信号が抽出される（ｓ２）。基準信号記憶部３からＷＳＳ信号の比較対象となる基準信号が信号判定部５に出力され、ＷＳＳ信号と基準信号との整合性が判定される（ｓ３→ｓ４）。なお、モード切り替え用スイッチ４を用いて、出力される基準信号は、評価されるＷＳＳ信号が正常であれば、整合する信号が出力されるように予め設定されている（ｓ１０）。
【００２９】
信号判定部５は、抽出されたＷＳＳ信号が基準信号と整合すればＯＫ信号を表示制御部６に出力し（ｓ５→ｓ６）、整合しなければＮＧ信号を表示制御部６に出力する（ｓ５→ｓ７）。
【００３０】
次に、ＤＶＤプレイヤ２００で、映像信号に重畳されたＷＳＳ信号のビットパターンを切り替える操作を行うとともに、前記ビットパターンに対応する基準信号が発生するように、ＷＳＳ信号評価装置１００のモード切り替え用スイッチ４を操作することで、前記フローと同様に、他のビットパターンの場合についても、ＷＳＳ信号と基準信号との整合性を判定する。このようにして、繰り返し、複数のビットパターンで整合性を判定する。
【００３１】
このようなフローでの整合性の判定とともに、前述の説明のように、ＷＳＳ信号の各ビット位に応じて点灯／消灯する発光ダイオードの状態が目視で確認されることで、ＷＳＳ信号の内容が確認される。
【００３２】
以上の構成により、ＷＳＳ信号評価装置１００は、入力される映像信号から抽出したＷＳＳ信号が２進表示で「１０…１」である場合には、発光ダイオード７−１，７−２，…，７−１４をそれぞれ、点灯、消灯、…、点灯させる。これにより、ＷＳＳ信号の各ビットに応じて、個々の発光ダイオードが点灯／消灯するので、評価対象である映像信号に重畳されているＷＳＳ信号の内容を短時間で容易に確認することができる。
【００３３】
また、判定結果に応じて異なる発光ダイオード８−１，８−２を点灯／消灯させることで、正常にＷＳＳ信号が抽出されているかを短時間で容易に確認することができる。
【００３４】
なお、本実施形態に示したＷＳＳ信号評価装置においては、ＷＳＳ信号の判定結果を表示する発光ダイオードを２個用いているが、発光ダイオードを１個にして、映像信号から抽出されたＷＳＳ信号と基準信号との整合性がある場合には発光ダイオードを点灯し、整合性がない場合には発光ダイオードを消灯するように構成してもよい。このような構成にすれば、必要な発光ダイオード数を減らすことができ、ＷＳＳ信号評価装置のコストを低減し、小型化することができる。
【００３５】
また、前述の判定「ＯＫ」を示す発光ダイオード８−１を緑色にし、判定「ＮＧ」を示す発光ダイオード８−２を赤色にするなどして、２個の発光ダイオードを異なる色にすることで、さらに確実に判定結果を識別することができる。
【００３６】
次に、第２の実施形態に係るＷＳＳ信号評価装置について、図を参照して説明する。
図６はＷＳＳ信号評価装置の外観斜視図である。
図７はＷＳＳ信号評価装置の内部ブロック図である。
図８はＷＳＳ信号と同じビットパターンで構成された基準信号の検出を行うフローを示すフローチャートである。
【００３７】
ＷＳＳ信号評価装置１０１の正面には、ＷＳＳ信号が意味する内容を通知するための発光ダイオード１２−１〜１２−ｎと、第１の実施形態に示したＷＳＳ信号の各ビット位に応じた１４個の発光ダイオード７−１〜７−１４とがそれぞれ配置されている。また、この発光ダイオード７−１〜７−１４の近傍には、第１の実施形態に示したように、ＷＳＳ信号の各ビット位を示す数字が表記されており、発光ダイオード１２−１〜１２−ｎの近傍には、「１６：９フルスクリーン」、「１４：９センターレターボックス」等のＷＳＳ信号が意味する内容を示す記号がそれぞれ表記されている。
【００３８】
第１の実施形態に示したように、入力端子１、ＷＳＳ信号抽出部２を介し、ＤＶＤプレイヤ２００によってＤＶＤから再生されたＰＡＬ方式の映像信号からＬｉｎｅ２３に重畳されている１４ビットのＷＳＳ信号が抽出される。抽出されたＷＳＳ信号は、一致信号検出部１０と表示制御部１１とに出力される。
【００３９】
基準信号記憶部９は、ＷＳＳ信号が採り得る、それぞれ１４ビットで異なるビットパターンをもった複数の基準信号を記憶している。
一致信号検出部１０は、基準信号記憶部９に記憶されている複数の基準信号のうち、ＷＳＳ信号抽出部２から出力される信号とビットパターンが一致する基準信号を検出し、この検出結果に基づき、発光ダイオード１２−１〜１２−ｎのうち点灯させるべきものを表示制御部１１に対して指定する。
【００４０】
例えば、複数の基準信号が記憶されている各アドレスと各発光ダイオード１２−１〜１２−ｎとを予め対応づけておき、発光ダイオード１２−１〜１２−ｎのうち、ＷＳＳ信号とビットパターンが一致する基準信号が記憶されているアドレスに対応したものを表示制御部１１に対して指定する。
【００４１】
表示制御部１１は、発光ダイオード７−１〜７−１４については、第１の実施形態の表示制御部６と同様にＷＳＳ信号抽出部２から出力される信号に応じて点灯／消灯を切り替えるとともに、発光ダイオード１２−１〜１２−ｎについては、一致信号検出部１０から指定される発光ダイオードのみを点灯させる。
【００４２】
このＷＳＳ信号評価装置１０１を用いて、ＤＶＤプレイヤ２００から出力される映像信号のＷＳＳ信号を評価するフローを図８を参照して説明する。
【００４３】
まず、ＷＳＳ信号評価装置１０１に接続された評価対象のＤＶＤプレイヤ２００でテスト用のディスクが再生され、映像信号がＷＳＳ信号評価装置１０１に入力される（ｓ２１）。ＷＳＳ信号抽出部２で、入力された映像信号からＷＳＳ信号が抽出される（ｓ２２）。一致信号検出部１０は、基準信号記憶部９に記憶された異なるビットパターンで構成された複数の基準信号のうち、入力されたＷＳＳ信号と同じビットパターンで構成された基準信号を検出する。（ｓ２３→ｓ２４→ｓ２３）。ここで、ＷＳＳ信号と同じビットパターンを持つ基準信号が検出されれば、これに対応した発光ダイオード１２−１〜１２−ｎのうちの一つを点灯させる指示信号を表示制御部１１に発信する（ｓ２５）。
【００４４】
以上の構成により、ＷＳＳ信号評価装置１０１は、発光ダイオード１２−１〜１２−ｎのいずれかを、入力される映像信号に重畳されているＷＳＳ信号が意味する内容に応じて点灯させるので、ＷＳＳ信号に対しあまり知識のないオペレータであっても、評価対象であるＷＳＳ信号が意味する内容を短時間で容易に確認することができる。
【００４５】
また、ＷＳＳ信号評価装置１０１は、第１の実施形態に示したＷＳＳ信号評価装置１００のようにモード切り替え用スイッチで、モードを切り替えながら判定を行う必要がなくなり、評価作業を簡単に行うことができる。
【００４６】
なお、前述の実施形態では、ＷＳＳ信号の内容を示す場合に発光ダイオード点灯／消灯で対応するビットの「０」、「１」を示したが、これを２進数のキャラクタ表示にしてもよい。また、第１の実施形態においては、判定結果についても同様に「Ｏ．Ｋ．」、「Ｎ．Ｇ．」のようにキャラクタ表示してもよい。さらに、第２の実施形態においては、検出結果についても「１６：９フルスクリーン」、「１４：９センターレターボックス」等のようにキャラクタ表示してもよい。
【００４７】
【発明の効果】
以上のように、この発明によれば、入力される映像信号からＷＳＳ信号を抽出して表示するＷＳＳ信号評価装置が構成されるので、評価対象である映像信号に重畳されているＷＳＳ信号を短時間で且つ容易に確認することができる。
【００４８】
また、この発明によれば、入力される映像信号から抽出したＷＳＳ信号が正常であるかどうかを判定し、その判定結果に応じた表示を行うＷＳＳ信号評価装置が構成されるので、ＷＳＳ信号の知識が少ないオペレータであっても、評価対象である映像信号に重畳されているＷＳＳ信号が正常であるかどうかを短時間で且つ容易に判定することができる。
【００４９】
また、この発明によれば、入力される映像信号から抽出したＷＳＳ信号が意味する内容に応じた表示を行うＷＳＳ信号評価装置が構成されるので、ＷＳＳ信号の知識が少ないオペレータであっても、評価対象である映像信号に重畳されているＷＳＳ信号が意味する内容を短時間で且つ容易に確認することができる。
【図面の簡単な説明】
【図１】第１の実施形態に係るＷＳＳ信号評価装置の外観斜視図
【図２】第１の実施形態に係るＷＳＳ信号評価装置の内部ブロック図
【図３】ＷＳＳ信号抽出部の一構成例を示した図
【図４】ＷＳＳ信号抽出部での各信号のタイミングチャート
【図５】ＷＳＳ信号の良否判定を行うフローを示すフローチャート
【図６】第２の実施形態に係るＷＳＳ信号評価装置の外観斜視図
【図７】第２の実施形態に係るＷＳＳ信号評価装置の内部ブロック図
【図８】ＷＳＳ信号と同じビットパターンで構成された基準信号の検出を行うフローを示すフローチャート
【符号の説明】
１００，１０１−ＷＳＳ信号評価装置
１−入力端子
２−ＷＳＳ信号抽出部
３，９−基準信号記憶部
４−判定モード切り替え用スイッチ
５−信号判定部
６，１１−表示制御部
７−１〜７−１４，８−１，８−２，１２−１〜１２−ｎ−発光ダイオード
１０−一致信号検出部
２１−２値化回路
２２−タイミング発生回路
２３−シフトレジスタ
２４−ラッチ回路
２００−ＤＶＤプレイヤ
【図１】
0003637595.tif 000002
【図２】
0003637595.tif 000003
【図３】
0003637595.tif 000004
【図４】
0003637595.tif 000005
【図５】
0003637595.tif 000006
【図６】
0003637595.tif 000007
【図７】
0003637595.tif 000008
【図８】
0003637595.tif 000009